(57)【要約】【課題】振動の低減、組立性の向上を実現することができ、輸送時等における部材の保護が確実で、その上デザイン面で優れたドラム式洗濯機を提供すること。【解決手段】筐体１の下部に設けた仕切板１０にサスペンション１２により支持された外槽１５、この外槽１５内に配設されモータ２１により回転駆動される内槽１８を備えた上部本体１１と、下面にゴム脚３１を有し仕切板１０の下部に配設され連結部材２６により仕切板１０に取付けられた下部本体２５とからなり、筐体１を、下部を除く周縁部又はその一部にフランジ７が設けられて上下一体に形成された一対の側面パネル６ａ，６ｂと、この側面パネル６ａ，６ｂのフランジ７に取付けられた天面パネル８、前面パネル２及び後面パネル９とによって構成した。【選択図】図１
2007143609.tif 000002
【特許請求の範囲】
【請求項１】
筐体の下部に設けた仕切板にサスペンションにより支持された外槽、該外槽内に配設されモータにより回転駆動される内槽を備えた上部本体と、下面にゴム脚を有し前記仕切板の下部に配設され連結部材により該仕切板に取付けられた下部本体とからなり、
前記筐体を、下部を除く周縁部又はその一部にフランジが設けられて上下一体に形成された一対の側面パネルと、該側面パネルのフランジに取付けられた前面パネル、天面パネル及び後面パネルとによって構成したことを特徴とするドラム式洗濯機。
【請求項２】
前記上部本体の仕切板を、直接又は中間部材を介して前記側面パネルのフランジに取付けたことを特徴とする請求項１記載のドラム式洗濯機。
【請求項３】
前記上部本体の仕切板を、前記側面パネルの内壁との間にすき間を介してフランジに取付けたことを特徴とする請求項１又は２記載のドラム式洗濯機。
【請求項４】
前記下部本体の側壁と前記側面パネルの内壁との間にすき間を設けたことを特徴とする請求項１〜３のいずれかに記載のドラム式洗濯機。
【請求項５】
前記下部本体の側壁と側面パネルの内壁との間に設けたすき間に吸音部材を配設したことを特徴とする請求項４記載のドラム式洗濯機。
【請求項６】
前記下部本体を、前記側面パネルの内壁に沿って上下に摺動しうるように構成したことを特徴とする請求項１〜３のいずれかに記載のドラム式洗濯機。
【請求項７】
前記下部本体と側面パネルとの間に摩擦係数の大きい材料からなる摩擦材を配設したことを特徴とする請求項６記載のドラム式洗濯機。
【請求項８】
前記下部本体を、輸送、梱包時に側面パネルのフランジに固定したことを特徴とする請求項１〜７のいずれかに記載のドラム式洗濯機。
【請求項９】
前記下部本体を断面長方形に形成し、該下部本体内に温風供給装置を収容したことを特徴とする請求項１〜８のいずれかに記載のドラム式洗濯機。
【請求項１０】
前記下部本体に、上部本体に設けた外槽と連通する風路に温風供給装置を接続する風路を設けたことを特徴とする請求項９記載のドラム式洗濯機。
【請求項１１】
前記温風供給装置をヒートポンプ装置で構成したことを特徴とする請求項９又は１０記載のドラム式洗濯機。
【発明の詳細な説明】
【技術分野】
【０００１】
本発明は、ドラム式洗濯機に係り、より詳しくは、振動の低減手段を備えたドラム式洗濯機に関するものである。
【背景技術】
【０００２】
従来のドラム式洗濯機に、洗濯機本体内にサスペンションによって支持された外槽と、外槽の内側で駆動モータにより水平軸心を中心として回転自在に制御され、開閉可能な扉より衣類を出し入れする投入口を有する内槽とを備え、外槽を支持するサスペンションより下方で、かつ、洗濯機本体の下部に、投入口の位置を高くすると共に、防振機能を備えた本体支持部を設けたものがある（例えば、特許文献１参照）。
【０００３】
【特許文献１】特許第３５８５６６７号公報（第２−３頁、図１−３）
【発明の開示】
【発明が解決しようとする課題】
【０００４】
特許文献１のドラム式洗濯機は、洗濯機本体の下部に別体又は一体に本体支持部を設け、床面への振動伝達を抑制するようにしているが、このような構造では十分な防振効果や騒音防止効果を得ることができない。特に、本体支持部を別体にした場合は、荷造りや輸送に不便である。
【０００５】
また、洗濯機本体と本体支持部とは、それぞれ別の筐体によって構成されているため、両者を一体化した場合は筐体周壁に横方向のすき間や段部が生じ、また、両者を同じ筐体で構成した場合は、本体支持部を取付けるためのねじあるいは溶接の跡が筐体表面に露出するので、いずれの場合にもデザイン上好ましくない。
【０００６】
本発明は、上記の課題を解決するためになされたもので、振動の低減、組立性の向上を実現することができ、輸送時等における部材の保護が確実で、その上デザイン面で優れたドラム式洗濯機を提供することを目的としたものである。
【課題を解決するための手段】
【０００７】
本発明に係るドラム式洗濯機は、筐体の下部に設けた仕切板にサスペンションにより支持された外槽、該外槽内に配設されモータにより回転駆動される内槽を備えた上部本体と、下面にゴム脚を有し前記仕切板の下部に配設され連結部材により該仕切板に取付けられた下部本体とからなり、前記筐体を、下部を除く周縁部又はその一部にフランジが設けられて上下一体に形成された一対の側面パネルと、該側面パネルのフランジに取付けられた天面パネル、前面パネル及び後面パネルとによって構成したものである。
【発明の効果】
【０００８】
本発明によれば、組立が容易で振動を低減することができるばかりでなく、輸送時等において部材を確実に保護することができ、その上デザイン面で優れたドラム式洗濯機を得ることができる。
【発明を実施するための最良の形態】
【０００９】
［実施の形態１］
図１は本発明の実施の形態１に係るドラム式洗濯機の前面パネルを取外した状態を示す正面図、図２は図１の側面斜視図、図３は本発明の外観斜視図である。
【００１０】
本発明に係るドラム式洗濯機の外観を示す図３において、２は上部が斜め前面下方に傾斜した傾斜面３を有する前面パネルで、傾斜面３には後述の内槽の洗濯物出入口を開閉する扉４が設けられており、扉４の上方には操作部５が設けられている。６ａ，６ｂ（以下、単に６と記すことがある）は側面パネルで、図４（ａ）に示すように、下端部を除く周縁には、内側に直角に折曲げられて前面パネル２や天面パネル８、後面パネル９等を取付けるための折曲げ部７（以下、フランジという）が設けられている。そして、これらにより筐体１が構成されている。なお、フランジ７は、図４（ｂ）にその一部を示すように、段部７ａを介してその内側にフランジ７を設けてもよい。また、フランジ７を側面パネル６ａ，６ｂの下部を除く周縁に設けた場合を示したが、周縁の一部に設けてもよい。
【００１１】
１０は筐体１の下部に設けた仕切板で、その下部には空間部１０ａが形成されている。この仕切板１０を含む上部により上部本体１１が形成されており、仕切板１０の下部に形成された空間部１０ａには、断面長方形で前後が開口した中空構造の下部本体２５が配設されている。なお、下部本体２５は、中空であれば前後を閉じてもよい。
【００１２】
上部本体１１内には、仕切板１０上に設けた弾性支持材１３と減衰装置１４からなる複数のサスペンション１２（図には２個の場合が示してある）により、斜め上向きに支持された外槽１５が配設されており、この外槽１５の前面側は両側面パネル６ａ，６ｂに取付けられた取付板及び外装ラバー１６に取付けられ、また上部は弾性体１７ａ，１７ｂにより天面パネル８及び後面パネル９又はパネル取付けフレーム（図示せず）に支持されている。
【００１３】
外槽１５内には、外槽１５に取付けたプーリ２０に回転自在に支持された、洗濯物の出入口１９を有する内槽１８が配置されており、プーリ２０は外槽１５の下部に取付けたモータ２１により、ベルト（図示せず）を介して回転駆動される。なお、モータ２１は内槽１８に直結してもよい。
【００１４】
２６は下部本体２５を仕切板１０に取付けるために、下部本体２５の四隅近傍に設けられた弾性を有する連結部材である。
この連結部材２６は、図５（ａ）に示すように、ゴム、ばね等からなる柱状の弾性体２７の上下面に、鋼板２８ａ，２８ｂを一体に設け、下部の鋼板２８ｂは下部本体２５の上面に溶接等により固定され、上部の鋼板２８ａにはおねじ２９が設けられている。そして、このおねじ２９を仕切板１０に設けたねじ挿通穴１０ｂに挿通してナット３０で固定することにより取付けられる。
【００１５】
また、図５（ｂ）に示すように、上下の鋼板２８ａ，２８ｂを大径に形成し、上部の鋼板２８ａに複数のねじ挿通穴２８ｃを設けると共に、仕切板１０の下面にねじ挿通穴２８ｃに対応しておねじ２９を取付け、ねじ挿通穴２８ｃをおねじ２９に挿入してナット３０で固定するなど、適宜の手段により下部本体２５を仕切板１０に取付けることができる。
なお、上記の連結部材２６は、その固有振動数が、外槽１５の支持系が持つ固有振動数と共振しない周波数帯域内にあるように構成されている。
３１は一般に電気洗濯機等に用いられているゴム脚で、下部本体２５の下面の連結部材２６と対応する位置に設けられている。
【００１６】
上記のように構成した本実施の形態において、内槽１８は、脱水時には最速ほぼ１０００ｒｐｍで回転する。このとき、最速回転に達するまでの低速から高速に至る回転動作に伴って、回転数に応じた低周波帯域から高周波帯域までの振動が内槽１８に発生し、外槽１５に伝達される。この内槽１８に発生した振動エネルギーは、外槽１５と仕切板１０との間に設けたサスペンション１２で決定する減衰定数に応じて熱エネルギーに変換され、減衰される。
【００１７】
この内槽１８の回転増速に伴って変化する低周波数帯域から高周波数帯域に至るまでの周波数帯域内には、外槽１５の支持系が持つ固有振動数（共振周波数）となる周波数帯域がいくつか存在し、この共振周波数帯域を通過しながら回転速度が上昇する。内槽１８の回転に伴って発生する振動の周波数が、外槽１５の支持系が持つ固有振動数の２倍あるいは３倍、さらにはそれ以上の倍数の共振周波数帯域においては、共振が発生しても振幅がそれほど大きくなく、振動をサスペンション１２である程度吸収できる。
【００１８】
ところが、低速回転時、つまり内槽１８内の洗濯物が偏った状態で脱水運転を行う際の、回転初期に発生するアンバランス回転に伴うアンバランス振動（低周波帯域の振動）については、外槽１５の支持系が持つ固有振動数（例えば、１．７Ｈｚ）と、アンバランス回転に伴う低周波帯域の周波数の振動（例えば、１００回転で約１．７Ｈｚの振動となる）が一致した場合に共振現象が発生すると、大きな振動エネルギーとなって外槽１５及び洗濯機そのものが大振動をおこし、この振動エネルギーをサスペンション１２だけで吸収して減衰させることが困難になる場合がある。
【００１９】
本実施の形態においては、サスペンション１２と接地部となるゴム脚３１との間に、固有振動数が外槽１５の支持系の持つ固有振動数と一致しない周波数帯域内にある連結部材２６を設けたので、たとえ外槽１５の支持系が持つ固有振動数と低回転に伴う低周波数帯域の振動の周波数が一致した共振現象による大きな振動エネルギーが発生しても、これをサスペンション１２により吸収して熱エネルギーに変換させ、また、連結部材２６の弾性体２７によっても振動を吸収して熱エネルギーに変換させることで減衰されるので、効率よく振動を減衰させることができる。このため、床面への振動伝播を大幅に低減することができる。
【００２０】
また、連結部材２６の弾性体２７を柱状に形成して仕切板１０と下部本体２５との間に配設したので、垂直方向から加わる外力（圧縮方向の振動）に対しては弾性変形し易い。このため、連結部材２６の上方から伝播する内槽１８の振動に対しては、弾性体２７が垂直方向に弾性変形して振動吸収を容易に行うことができ、洗濯物の偏りによる内槽１８の過渡的な垂直方向への振動による床への伝達についても十分にこれを低減させることができる。
【００２１】
さらに、連結部材２６を、その固有振動数が外槽１５の支持系の持つ固有振動数と共振しない周波数帯域にあるようにしたので、外槽１５と連結部材２６との間で共振が発生するのを防止することができ、安定した振動低減作用が得られる。
【００２２】
また、筐体１は、下端部を除く周縁にフランジ７を有する各１枚の側面パネル６ａ，６ｂと、この側面パネル６ａ，６ｂのフランジ７に取付けられるそれぞれ１枚の前面パネル２、天面パネル８及び後面パネル９で形成したので、外面にすき間や段部が生じたり、ねじ等が露出することがなく、すっきりした外観となってデザイン性を向上することができる。
【００２３】
図６（ａ）は本実施の形態の他の例の要部の斜視図である。
ドラム式洗濯機は、上下及び左右方向の振動は大きいが、前後方向の振動は小さい。そこで、本例においては、仕切板１０を筐体１を構成する側面板６ａ，６ｂに直接固定せず、振動の少ない前後のフランジにねじ又は溶接等３２により固定するようにしたものである。この場合、仕切板１０とフランジ７を含む側面パネル６ａ，６ｂとの間に、例えば吸振材の如き部材を介して固定してもよい。
【００２４】
また、図６（ｂ）に示すように、仕切板１０の側面と側面パネル６ａ，６ｂの内壁面との間にすき間ｇを設けて、ねじ又は溶接により仕切板１０を側面パネル６ａ，６ｂの前後のフランジ７に固定してもよい。
本例によれば、仕切板１０を側面パネル６ａ，６ｂの内壁面に直接取付けず、振動の小さい前後のフランジ７に取付けるようにしたので、筐体１への振動の伝達を低減することができ、また、側面パネル６ａ，６ｂの外面にねじや溶接の痕跡が残らないのでスッキリした外観となり、デザイン性を向上することができる。
【００２５】
図７は本実施の形態のさらに他の例の要部の正面図及びその斜視図である。
本実施の形態においては、筐体１に伝達される内槽１８の回転に伴う振動を低減するために、下部本体２５の側壁と側面パネル６ａ，６ｂの内壁との間にすき間ｇ1が設けられているが、このすき間ｇ1から騒音が漏れるおそれがある。
そこで、本例においては、このすき間ｇ1に、例えば、グラスウールやフエルト、スポンジ等の如き多孔質材料からなる吸音部材３３を介装したものである。
これにより、すき間ｇ1からの騒音の漏洩を防止することができる。
【００２６】
図８は本実施の形態のさらに別の例の要部の正面図及び斜視図である。
下部本体２５は、柔軟性を有する連結部材２６により仕切板１０に取付けられているため、内槽１８の回転に伴う振動により上下方向に摺動して振動することがある。
【００２７】
そこで、本例においてはこのような問題を解消するために、下部本体２５の側壁と筐体１の側面パネル６ａ，６ｂの内壁との間に、例えば小さい凹凸面を有する摩擦係数の大きい材料からなる摩擦材３４を介装したものである。
これにより、下部本体２５の上下方向の摺動を抑制し、振動エネルギーが熱エネルギーに変換されて下部本体２５の振動を防止するようにしたものである。
【００２８】
［実施の形態２］
図９は本発明の実施の形態２に係るドラム式洗濯機の前面パネルを取外した状態を示す正面図である。なお、実施の形態１と同じ部分にはこれと同じ符号を付し、説明を省略する。
本実施の形態は、実施の形態１に係るドラム式洗濯機において、下部本体２５内に、例えばヒートポンプ装置や電気抵抗ヒータ如き温風供給装置３５を収容したものである。
【００２９】
３６ａ，３６ｂは外槽１５内に開口する風路、３７ａ，３７ｂは風路３６ａ，３６ｂに接続され、仕切板１０に設けた穴から空間部１０ａに露出した蛇腹状の風路である。
３８は圧縮機３９、熱交換器４０等からなり、下部本体２５内に収容されたヒートポンプ装置で、温風の吐出口４１ａ、戻り口４１ｂが設けられている。
【００３０】
温風供給装置３５が収容された下部本体２５は、筐体１の前面パネル２又は後面パネル９が取付けられる前に空間部１０ａ内に挿入され、連結部材２６により仕切板１０に取付けると共に、吐出口４１ａ及び戻り口４１ｂをそれぞれ蛇腹状の風路３７ａ，３７ｂに接続する。接続にあたっては、バンドで固定しあるいは接着剤により接着してもよく、さらには、取付板等を用いてねじ止めしてもよい。
【００３１】
本実施の形態においては、温風供給装置３５であるヒートポンプ装置で生成された温風は、吐出口４１ａから風路３７ａ，３６ａを経て外槽１５内に導入され、内槽１８内の洗濯物を乾燥する。乾燥により低温化した空気は風路３６ｂ，３７ｂから戻り口４１ｂを経てヒートポンプ装置に戻り、熱交換器４０により再び温風化されて循環し、内槽１８内の洗濯物を乾燥する。
上記の説明では、温風供給装置３５にヒートポンプ装置を用いた場合を示したが、電気抵抗ヒータを用いてもよい。
本実施の形態によれば、温風供給装置３５を下部本体２５内に収容したので、組立性が向上するばかりでなく、ドラム式洗濯機を小形化することができる。
【００３２】
［実施の形態３］
図１０は本発明の実施の形態３に係るドラム式洗濯機の要部の正面図である。なお、実施の形態１と同じ部分にはこれと同じ符号を付し、説明を省略する。
前述のように、本発明に係るドラム式洗濯機は、上部本体１と下部本体２５とを柔軟性を有する連結部材２６によって連結されているため、輸送や梱包時の動揺や落下したときの衝撃などにより、連結部材２６が変形したり破損したりするおそれがある。
【００３３】
本実施の形態においては、このような問題を解消するために、下部本体２５を筐体１の側面パネル６ａ，６ｂのフランジ７にねじ４２により、直接又は他の部材を介して固定したものである。
このように構成したことにより、輸送や梱包時の動揺や落下時の衝撃等に対して連結部材２６を保護することができ、耐久性を確保することができる。
【図面の簡単な説明】
【００３４】
【図１】本発明の実施の形態１に係るドラム式洗濯機の前面パネルを取外した状態を示す正面図である。
【図２】図１の側面斜視図である。
【図３】本発明に係るドラム式洗濯機の外観斜視図である。
【図４】図１の側面パネルの斜視図である。
【図５】図１の連結部材の説明図である。
【図６】実施の形態１の他の例の要部の斜視図である。
【図７】実施の形態１のさらに他の例の要部の正面図及びその斜視図である。
【図８】実施の形態１の別の例の要部の正面図及びその斜視図である。
【図９】本発明の実施の形態２に係るドラム式洗濯機の前面パネルを取外した状態を示す正面図である。
【図１０】本発明の実施の形態３に係るドラム式洗濯機の要部の斜視図である。
【符号の説明】
【００３５】
１  筐体、２  前面パネル、６ａ，６ｂ  側面パネル、７  フランジ、８  天面パネル、９  後面パネル、１０  仕切板、１１  上部本体、１２  サスペンション、１５  外槽、１８  内槽、２５  下部本体、２６  連結部材、３１  ゴム脚、３３  吸音材、３４  摩擦材、３５  温風供給装置、３８  ヒートポンプ装置、４２  ねじ。
【図１】
2007143609.tif 000003
【図２】
2007143609.tif 000004
【図３】
2007143609.tif 000005
【図４】
2007143609.tif 000006
【図５】
2007143609.tif 000007
【図６】
2007143609.tif 000008
【図７】
2007143609.tif 000009
【図８】
2007143609.tif 000010
【図９】
2007143609.tif 000011
【図１０】
2007143609.tif 000012